(57)【要約】【課題】例えば、観賞用の魚類等を飼育する水槽内に発生したアオコを絡み込むようにして容易に除去することができ、しかも、簡易な構造で且つ低コストで作製できるアオコ除去装置を提供する。【解決手段】駆動機構２を備えて回転可能である長尺状の操作ロッド３と、操作ロッド３の長手方向に沿った表面から操作ロッド３の回転する中心に次第に近づくように、湾曲状に穿設された溝条部４と、溝条部４の外側へ進出する方向と溝条部４の内側へ退避する方向にスライド移動が可能である歯体５とを備え、操作ロッド３の回転により発生する遠心力により前記歯体５を溝条部４の外側へ進出可能とする。【選択図】図１
2006272087.tif 000002
【特許請求の範囲】
【請求項１】
駆動機構を備えて回転可能である長尺状の操作ロッドと、操作ロッドの長手方向に沿った表面から操作ロッドの回転する中心に次第に近づくように、湾曲状に穿設された溝条部と、溝条部の外側へ進出する方向と溝条部の内側へ退避する方向にスライド移動が可能である歯体とを備え、操作ロッドの回転により発生する遠心力により前記歯体を溝条部の外側へ進出可能としたことを特徴とする、アオコ除去装置。
【請求項２】
溝条部の内側には、歯体の末端側に形成された突部を係止させるための係止突起を突設している請求項１に記載の、アオコ除去装置。
【請求項３】
歯体は、ノコギリ歯状に列設された刃先の各尖端を、歯列長手方向に対して直角方向に曲折して成る請求項１または２に記載の、アオコ除去装置。
【請求項４】
操作ロッドの一端側において、溝条部が開放され、キャップ体により閉止可能としてある請求項１乃至３のいずれかに記載の、アオコ除去装置。
【請求項５】
駆動機構は、トリガーにより通電を可能にした、ピストル型の操作用グリップ体により構成されている請求項１乃至４のいずれかに記載の、アオコ除去装置。
【発明の詳細な説明】
【技術分野】
【０００１】
本発明は、例えば、観賞用の魚類等を飼育する水槽内に発生したアオコを、絡み込むようにして除去するための、簡易構造のアオコ除去装置に関するものである。
【背景技術】
【０００２】
従来において、水槽内に植物プランクトンが大量に繁殖して水面が緑化される現象である、アオコを除去する方法として、例えば、殺菌灯や活性炭等を使用することがある。
【０００３】
また、特許文献１に開示されているように、アオコの増殖能力を抑制するためのアオコ除去装置と除去方法が提供されている。
【０００４】
これは、吸引ポンプによって水底付近の水を吸い上げて加圧状態として酸素を溶解し、その水を水底付近に排出する排出手段と、吸引ポンプによって水面付近の水を吸い上げて加圧状態として炭酸ガスを溶解し、その水を水面付近に排出する排出手段とを有し、これら排出手段を日の出付近から日の入り付近迄の時刻と、日の入り付近から日の出付近迄の時刻との間で使い分けるようにしたものである。
【特許文献１】特開２００３−７１４９４号公報
【発明の開示】
【発明が解決しようとする課題】
【０００５】
しかしながら、従来のように殺菌灯や活性炭等を使用する場合には、大量に増殖したアオコを完全に除去することは不可能であり、しかも、水槽内の観賞用の魚類にダメージを与えるおそれがある。
【０００６】
また、特許文献１に開示されているような、アオコ除去装置と除去方法では、両排出手段自体が複雑な構成で且つコストのかかるものである。しかも、これらの酸素用と炭酸ガス用の両排出手段を、日の出付近から日の入り付近迄の時刻と、日の入り付近から日の出付近迄の時刻との間でマニュアル操作によって使い分ける必要があり、非常に面倒な作業となる。
【０００７】
そこで、本発明は如上のような従来存した諸事情に鑑み創出されたもので、例えば、観賞用の魚類等を飼育する水槽内に発生したアオコを絡み込むようにして容易に除去することができ、しかも、簡易な構造で且つ低コストで作製できるアオコ除去装置を提供することを目的とする。
【課題を解決するための手段】
【０００８】
本発明に係るアオコ除去装置は、駆動機構を備えて回転可能である長尺状の操作ロッドと、操作ロッドの長手方向に沿った表面から操作ロッドの回転する中心に次第に近づくように、湾曲状に穿設された溝条部と、溝条部の外側へ進出する方向と溝条部の内側へ退避する方向にスライド移動が可能である歯体とを備え、操作ロッドの回転により発生する遠心力により前記歯体を溝条部の外側へ進出可能としたことにより、上述した課題を解決した。
【０００９】
また、溝条部の内側には、歯体の末端側に形成された突部を係止させるための係止突起を突設していることで、同じく上述した課題を解決した。
【００１０】
さらに、歯体は、ノコギリ歯状に列設された刃先の各尖端を、歯列長手方向に対して直角方向に曲折して成ることで、同じく上述した課題を解決した。
【００１１】
また、操作ロッドの一端側において、溝条部が開放され、キャップ体により閉止可能としてあることで、同じく上述した課題を解決した。
【００１２】
加えて、駆動機構は、トリガーにより通電を可能にした、ピストル型の操作用グリップ体により構成されていることで、同じく上述した課題を解決した。
【００１３】
以上のように構成された本発明に係るアオコ除去装置においては、駆動機構により操作ロッドが回転した際に、当該操作ロッドに対し遠心力が発生して歯体を溝条部から外側へ進出させ、この回転する歯体により水槽内のアオコを絡み込むようにして除去させている。
【００１４】
また、操作ロッドの回転中において、外側へ進出する歯体の末端側の突部を溝条部の内側の係止突起に係止させ、操作ロッドからの歯体の離脱を阻止させている。
【００１５】
さらに、刃先の各尖端を、歯列長手方向に対して直角方向に曲折して成る歯体は、操作ロッドの回転方向である操作ロッド周面へのアオコの絡み込み動作を、効率的に行わせている。
【００１６】
また、操作ロッドの一端側において、開放されている溝条部からその長手方向に沿って歯体が挿入され、キャップ体によって閉止されることで、操作ロッドに対する歯体の装着を可能とし、且つ操作ロッドに対する歯体の交換も可能にさせている。
【００１７】
加えて、駆動機構は、ピストル型の操作用グリップ体を手で握り締めてから人差し指によりトリガーを押圧することで、通電を可能とし、操作ロッドを回転駆動させる。
【発明の効果】
【００１８】
本発明によれば、例えば、観賞用の魚類等を飼育する水槽内に発生したアオコを、絡み込むようにして容易に除去することができ、しかも、簡易な構造で且つ低コストで作製することができるアオコ除去装置を提供できる。
【００１９】
これは本発明が、駆動機構を備えて回転可能である長尺状の操作ロッドと、操作ロッドの長手方向に沿った表面から操作ロッドの回転する中心に次第に近づくように、湾曲状に穿設された溝条部と、溝条部の外側へ進出する方向と溝条部の内側へ退避する方向にスライド移動が可能である歯体とを備え、操作ロッドの回転により発生する遠心力により前記歯体を溝条部の外側へ進出可能としたことによりもたらされる効果である。
【００２０】
すなわち、操作ロッドと共に回転する歯体により、水槽内のアオコを絡み込むようにして容易に除去することができる。しかも、操作ロッド自体は長尺状であるため、水槽内の水面に位置しているアオコや、水槽内の底面付近に位置しているアオコも容易に除去することができる。さらに、装置自体を、容易且つ安価に作製することができる。
【００２１】
また、溝条部の内側には、歯体の末端側に形成された突部を係止させるための係止突起を突設しているので、操作ロッドの回転中において、外側へ進出する歯体の末端側の突部を、溝条部の内側の係止突起に係止させて、操作ロッドからの歯体の離脱を未然に防止することができる。
【００２２】
さらに、歯体は、ノコギリ歯状に列設された刃先の各尖端を、歯列長手方向に対して直角方向に曲折して成るので、刃先の各先端をアオコに絡めて、操作ロッドの回転方向である、操作ロッドの周面へのアオコの絡み込み動作を、効率的に行うことができる。
【００２３】
そして、操作ロッドの一端側において、溝条部が開放され、キャップ体により閉止可能としてあるので、操作ロッドの一端側で開放されている溝条部内の長手方向に沿って歯体が挿入され、キャップ体により閉止される。そのため、操作ロッドに対する歯体の装着を容易に行うことができ、しかも、操作ロッドに対する歯体の交換も、キャップ体を取り外すだけで容易に行える。
【００２４】
また、駆動機構は、トリガーにより通電を可能にした、ピストル型の操作用グリップ体により構成されているので、ピストル型の操作用グリップ体を手で握り締め、人差し指によりトリガーを押圧するだけで、操作ロッドを容易に回転駆動させることができる。
【発明を実施するための最良の形態】
【００２５】
以下に、本発明を実施するための最良の形態を、図面を参照して説明する。
【００２６】
本発明は、例えば、観賞用の魚類等を飼育する水槽Ｐ内に発生したアオコＱを除去するためのアオコ除去装置１である。このアオコ除去装置１は、図１に示すように、トリガー２Ｃにより通電可能にしたピストル型の操作用グリップ体によって構成された駆動機構２と、駆動機構２により回転可能にした長尺状の操作ロッド３とを備えている。
【００２７】
操作用グリップ体により構成された駆動機構２には、図１に示すように、駆動モータ２Ａと、駆動モータ２Ａに通電して作動させるための電源２Ｂとを備え、トリガー２Ｃの押圧により駆動モータ２Ａと電源２Ｂとが導通接続し、駆動モータ２Ａが回転駆動するものである。
【００２８】
そして、駆動モータ２Ａの出力軸先端には短尺なネジ棒２Ｄが固着されており、このネジ棒２Ｄにねじ込まれた袋状のナット２Ｅを介して、回転軸２Ｆが固着されている。また、この回転軸２Ｆの中間は、駆動機構２の先端の支持部２Ｇに挿通支持されている。さらに、回転軸２Ｆの先端に、前記操作ロッド３が、ストレート部分３Ａを介して連結されている。
【００２９】
操作ロッド３には、図２・図３に示すように、この長手方向に沿った表面から回転する中心に次第に近づくように、湾曲した溝条部４が穿設されている。この溝条部４内には、前後に若干湾曲した板状の歯体５を内装してあり、溝条部４の外側へ進出する方向と、溝条部４の内側へ退避する方向に歯体５がスライド移動可能となっている。こうすることで、操作ロッド３の回転により発生する遠心力により、前記歯体５を溝条部４の外側へ進出できるようにしてある。
【００３０】
また、図３に示すように、溝条部４の内側の上壁面には、略ラチェット歯形状の係止突起６が突設されており、操作ロッド３の回転中において、歯体５が外側へ進出するに際し、当該歯体５の末端部上側に突設された突部７を係止突起６によって係止させるようにしてある。
【００３１】
また、操作ロッド３の溝条部４の奥側には、不図示の復帰バネ機構が内設され、当該操作ロッド３の回転停止時において、歯体５をこの復帰バネ機構によって溝条部４の奥部に退避させるようにしても良い。尚、この復帰バネ機構は、本発明を何等限定するものではなく、他の構成による復帰機構を採用しても良いことは勿論である。
【００３２】
歯体５は、図４に示すように、平面方向から見て、一側が直線状で他側が円弧状となった刃先５Ａがノコギリ歯状に列設されており、刃先５Ａの各尖端は、図５に示すように、アオコＱを効率良く絡ませるために、歯列長手方向に対して直角上方向に若干曲折している。
【００３３】
操作ロッド３の先端面側は、図２に示すように、前記溝条部４が開放された状態となっており、ここから溝条部４内の長手方向に沿って歯体５が挿入された後、キャップ体８の中央突起部８Ａを操作ロッド３の先端面中央の取付穴部８Ｂに嵌合させるようにして、溝条部４の開放部分を閉止するようにしてある。
【００３４】
次に、以上のように構成された本発明の最良の形態について、使用・組立・動作の一例を説明する。
【００３５】
まず、図２に示すように、操作ロッド３の先端面側の開放部分から溝条部４内の長手方向に沿って歯体５を挿入した後、キャップ体８の中央突起部８Ａを操作ロッド３の先端面中央の取付穴部８Ｂに嵌合させることで、溝条部４の開放部分を閉止する。その後、図１に示すように、操作ロッド３のストレート部分３Ａを介して連結されている回転軸２Ｆの袋状のナット２Ｅを、駆動機構２の駆動モータ２Ａから突出した出力軸先端のネジ棒２Ｄにねじ込むことで、操作ロッド３が駆動機構２に取り付けられる。
【００３６】
そして、図６に示すように、ピストル型の操作用グリップ体による駆動機構２を手で握り締めてから、操作ロッド３部分を水槽Ｐ内のアオコのある水面箇所、または、水底箇所等に臨ませておき、人差し指によりトリガー２Ｃを押圧することで、駆動モータ２Ａと電源２Ｂとが導通接続して駆動モータ２Ａが回転駆動し、それに伴って操作ロッド３が回転駆動する。
【００３７】
このとき、操作ロッド３に対し遠心力が発生して歯体５は溝条部４から外側へ進出し、この回転する歯体５によって水槽Ｐ内のアオコＱを絡み込むようにして除去するのである。
【産業上の利用可能性】
【００３８】
本発明は、例えば、観賞用の魚類等を飼育する水槽内に発生したアオコを絡み込むようにして容易に除去することができ、しかも、簡易な構造で且つ低コストで作製できるアオコ除去装置として、種々の水槽に広く利用することができる。
【図面の簡単な説明】
【００３９】
【図１】本発明を実施するための最良の形態におけるアオコ除去装置の全体構成を示す側面図である。
【図２】操作ロッドに歯体を組み込む状態を説明した分解斜視図である。
【図３】回転する操作ロッドから歯体が遠心力により外側へ進出する状態を説明した断面図である。
【図４】操作ロッドから突出した状態の歯体の平面図である。
【図５】操作ロッドの刃先の形状を示す拡大斜視図である。
【図６】アオコ除去装置を使用してアオコを絡み込むようにして除去している状態を示す側面図である。
【符号の説明】
【００４０】
Ｐ…水槽                    Ｑ…アオコ
１…アオコ除去装置          ２…駆動機構
２Ａ…駆動モータ            ２Ｂ…電源
２Ｃ…トリガー              ２Ｄ…ネジ棒
２Ｅ…ナット                ２Ｆ…回転軸
２Ｇ…支持部                  ３…操作ロッド
３Ａ…ストレート部分          ４…溝条部
５…歯体                  ５Ａ…刃先
６…係止突起                ７…突部
８…キャップ体            ８Ａ…中央突起部
８Ｂ…取付穴部
【図１】
2006272087.tif 000003
【図２】
2006272087.tif 000004
【図３】
2006272087.tif 000005
【図４】
2006272087.tif 000006
【図５】
2006272087.tif 000007
【図６】
2006272087.tif 000008